(57)【要約】  本発明は、複数の歯（１０）を含むくし（４）を含むシート形態要素を処理するための機械（１）においてオン・ザ・フライでシートから廃棄物を除去するための排出器部材（２）に関連し、くし（４）が、低スループットの第１の位置及び少なくとも１つの高スループットの第２の位置を選ぶことが可能であるように構成され、くし（４）の中心が、高スループットの第２の位置ではくし（４）の外側端に対して後退しており、くし（４）の中心が、高スループットの第２の位置では低スループットの第１の位置におけるよりも更に深く後退していることを特徴とする。本発明はまた、そのような排出器部材を含むシート形態要素を処理するための機械に関連する。【選択図】図３
2019510649.tif 000002
【特許請求の範囲】
【請求項１】
複数の歯（１０）を含むくし（４）を含むシート形態要素を処理するために機械（１）においてオン・ザ・フライでシートから廃棄物を除去するための排出器部材（２）であって、
前記くし（４）は、低スループットの第１の位置及び少なくとも１つの高スループットの第２の位置を選ぶことが可能であるように構成され、該くし（４）の中心が、該高スループットの第２の位置では該くし（４）の外側端に対して後退しており、該くし（４）の該中心は、該高スループットの第２の位置では該低スループットの第１の位置におけるよりも更に深く後退している、
ことを特徴とする排出器部材（２）。
【請求項２】
前記低スループットの第１の位置では、前記くし（４）の全体形状が直線であることを特徴とする請求項１に記載の排出器部材（２）。
【請求項３】
前記高スループットの第２の位置では、凹面である前記くし（４）の全体形状が、直線部分の端部によって接続された少なくとも２つの直線部分（９ａ、９ｂ）によって形成され、２つの隣接する直線部分（９ａ、９ｂ）の間の角度が、１８０°よりも小さいことを特徴とする請求項１又は請求項２に記載の排出器部材（２）。
【請求項４】
前記高スループットの第２の位置では、前記くし（４）の全体形状が、三角形の内側に内接することができることを特徴とする請求項１から請求項３のいずれか一項に記載の排出器部材（２）。
【請求項５】
前記高スループットの第２の位置では、前記くし（４）の前記中心は、前記低スループットの第１の位置での該くし（４）の該中心の位置に対して１と５ミリメートルの間の距離（ｄ）だけ後退していることを特徴とする請求項１から請求項４のいずれか一項に記載の排出器部材（２）。
【請求項６】
前記くし（４）は、少なくとも１つの変形可能ゾーン（１２ａ、１２ｂ）を含むことを特徴とする請求項１から請求項５のいずれか一項に記載の排出器部材（２）。
【請求項７】
前記変形可能ゾーン（１２ａ、１２ｂ）は、薄化及び／又は少なくとも１つのオリフィス（１５）によって形成されることを特徴とする請求項６に記載の排出器部材（２）。
【請求項８】
前記くし（４）は、少なくとも１つの連結部を含むことを特徴とする請求項１から請求項７のいずれか一項に記載の排出器部材（２）。
【請求項９】
前記くし（４）は、互いに接合されて互いに対して移動することができる少なくとも２つの直線部分（９ａ、９ｂ）を含むことを特徴とする請求項１から請求項８のいずれか一項に記載の排出器部材（２）。
【請求項１０】
前記くし（４）の中間で互いに接合された２つの直線部分（９ａ、９ｂ）を含むことを特徴とする請求項９に記載の排出器部材（２）。
【請求項１１】
前記少なくとも２つの直線部分（９ａ、９ｂ）は、互いに接合され、かつ前記くし（４）の少なくとも３つの変形可能ゾーン（１２ａ、１２ｂ）によって排出器部材（２）のベース（３）に接合されることを特徴とする請求項９又は請求項１０に記載の排出器部材。
【請求項１２】
静止状態では、前記くし（４）は、高スループットの第２の位置にあることを特徴とする請求項１から請求項１１のいずれか一項に記載の排出器部材（２）。
【請求項１３】
前記くし（４）に前記低スループットの第１の位置又は高スループットの第２の位置を選ばせるように構成された起動機構（１３）を含むことを特徴とする請求項１から請求項１２のいずれか一項に記載の排出器部材（２）。
【請求項１４】
前記処理機械（１）のそれぞれのチェーンセット案内デバイス（９０）に固定するように構成された２つの支持体（５）を含み、
前記支持体（５）は、前記くし（４）に接続された排出器部材（２）のベース（３）によって担持されたそれぞれの側板と該支持体（５）に関連して修正することができる傾斜を有して該ベース（３）を該支持体（５）に固定するために協働する、
ことを特徴とする請求項１から請求項１３のいずれか一項に記載の排出器部材（２）。
【請求項１５】
シート形態要素を処理するための機械（１）であって、
処理機械（１）のコピー受け入れステーション（５００）の下流で処理機械（１）の搬送デバイス（７０）のチェーン案内デバイス（９０）上に配置された請求項１から請求項１４のいずれか一項に記載の排出器部材（２）、
を含むことを特徴とする機械（１）。
【発明の詳細な説明】
【技術分野】
【０００１】
本発明は、シート形態要素を処理するための機械においてオン・ザ・フライでシートから廃棄物を除去するための排出器部材に関する。本発明はまた、そのような排出器部材を含むシート形態要素を処理するための機械に関する。
【背景技術】
【０００２】
コピーの分離は、廃棄物を成形して排出した後に、シート上のコピーを取り付けるポイントを切り離し、受け入れゾーンにコピーを受け入れる段階を伴う。廃棄物とも呼ばれるシートの残余部分は、それを廃棄物除去ステーションにもたらすことができるようにシート移送デバイスの把持器バーの把持器に把持されたままである。
【０００３】
把持器バーは、通常は、打ち抜きプレスの両側面の一方にそれぞれ位置決めされた２つのループ状チェーンによって駆動され、把持器バーの２つの端部がそれに固定される。把持器バーによって搬送される廃棄物の進行方向に対して横断方向に延びるくしの形態の静的排出器が、廃棄物除去ステーションに配置される。
【０００４】
把持器バーの経路は、チェーンセットループの曲げ部を上がる時にバーの把持器が、それらが排出器を遮断する時に開くように、廃棄物除去ステーションでのその開口と同期している。把持器バーによって担持されたシートは、それが放出ベルトの上にピボット回転するように、把持器バーの把持器の間を通る歯を有するくしにそれが衝突する前に解除される。
【０００５】
排出は、廃棄物除去ステーション内の把持器バーの急変経路が切断シートを放出ベルトの上にピボット回転させるために直接に使用されるので「オン・ザ・フライ」であると言われる。オン・ザ・フライでの排出は、把持器バーを節約することを可能にする。具体的に、オン・ザ・フライ排出なしでは、把持器バーから切断シートを除去するために、機械は、把持器バーが廃棄物のシートを降ろすために停止すると考えられる追加の廃棄物除去ステーションを含むことが必要であろう。チェーンセットは、次に、追加の把持器バーだけ長くする必要があると考えられ、これは、何らかの高価で空間を占めるものである。
【０００６】
オン・ザ・フライで廃棄物を除去するこの方法は、把持器バーが開いた状態で、くしと把持器の間の遮断が、くしが廃棄物のシートと接触状態になることを可能にし、かつ把持器がくしの歯の間をそれと接触することなく通ることを可能にするという前提で機能する。
【０００７】
しかし、把持器バーがその急変を行うので、それは遠心力を受け、その強度は、機械スループットの増加と共に増加する。１０  ０００シート／時間での及びそれを超えるような高スループットでは、把持器バーは、遠心力の影響下で変形する。把持器バーと静的排出器の間の遮断の条件は、次に、もはや保証されない可能性があり、廃棄物除去機能は、従って、もはや正しく保証されない場合がある。
【発明の概要】
【発明が解決しようとする課題】
【０００８】
従って、低及び高スループットの両方での廃棄物のオン・ザ・フライ排出を保証することを可能にする改良型排出器部材を提案することが本発明の目的の１つである。
【課題を解決するための手段】
【０００９】
この目的のために、本発明の１つの主題は、複数の歯を含むくしを含むシート形態要素を処理するための機械においてオン・ザ・フライでシートから廃棄物を除去するための排出器部材であって、くしが、低スループットの第１の位置及び少なくとも１つの高スループットの第２の位置を選ぶことが可能であるように構成され、くしの中心が、高スループットの第２の位置でのくしの外側端に対して後退しており、くしの中心が、低スループットの第１の位置におけるよりも高スループットの第２の位置で更に深く後退していることを特徴とする上記排出器部材である。
【００１０】
把持器バーが変形している時の高スループットの第２の位置での又は把持器バーが真っ直ぐである時の低スループットの第１の位置でのくしの位置は、把持器バー及びくしが互いに遮断する時に、くしの形状が、移動する把持器バーの曲率を最もよく模倣するように、くしの曲率を機械スループットに適するように適応させることを可能にする。把持器は、次に、衝突の危険なしに、把持器バーの中心でその端部でのようにシート廃棄物に衝突するくしの歯の間を通ることができる。
【００１１】
単独又は組合せで考えられる排出器部材の１又は２以上の特徴により、
−低スループットの第１の位置では、くしの全体形状は直線であり、
−高スループットの第２の位置では、凹面であるくしの全体形状は、直線部分の端部によって接続された少なくとも２つの直線部分によって形成され、２つの隣接する直線部分の間の角度は、１８０°よりも小さく、
−高スループットの第２の位置では、くしの全体形状は、三角形の内側に内接することができ、
−高スループットの第２の位置では、くしの中心は、低スループットの第１の位置でのくしの中心の位置に対して１と５ミリメートルの間の距離だけ後退し、
−くしは、少なくとも１つの変形可能ゾーンを含み、
−変形可能ゾーンは、薄化及び／又は少なくとも１つのオリフィスによって形成され、
−くしは、少なくとも１つの連結部を含み、
−くしは、互いに接合されて互いに対して移動することができる少なくとも２つの直線部分を含み、
−排出器部材は、くしの中間で互いに接合された２つの直線部分を含み、
−少なくとも２つの直線部分は、互いに接合され、かつくしの少なくとも３つの変形可能ゾーンによって排出器部材のベースに接合され、
−静止状態では、くしは、高スループットの第２の位置にあり、
−排出器部材は、低スループットの第１の位置又は高スループットの第２の位置をくしに選ばせるように構成された起動機構を含み、
−排出器部材は、処理機械のそれぞれのチェーンセット案内デバイスに固定されるように構成された２つの支持体を含み、支持体は、支持体との関連で修正することができる傾斜を有してベースを支持体に固定するためにくしに接続された排出器部材のベースによって担持されたそれぞれの側板と協働する。
【００１２】
本発明の別の主題は、シート形態要素を処理するための機械であり、それが、処理機械のコピー受け入れステーションの下流で処理機械の搬送デバイスのチェーン案内デバイス上に配置された上述の排出器部材を含むことを特徴とする。
【図面の簡単な説明】
【００１３】
更に別の利点及び特徴は、本発明の説明を読むことから及び本発明の１つの非限定的な例示的実施形態を描く添付図面を調査することから明らかになるであろう。
【００１４】
【図１】シート形態要素を処理するための機械の一例を非常に概略的に示す図である。
【図２】排出器部材の３つの異なる角度向きに関して搬送デバイス上に装着された排出器部材の要素の側面図である。
【図３】高スループットの第２の位置での図２の排出器部材を示す図である。
【図４】低スループットの第１の位置での図２の排出器部材を示す図である。
【図５】くしの変形可能末端ゾーンの拡大図である。
【発明を実施するための形態】
【００１５】
これらの図では、同一の要素は、同じ参照番号を有する。以下の実施形態は例である。説明は、１又は２以上の実施形態を参照するが、これは、各参照が同じ実施形態に関連すること又は特徴が１つの単一実施形態だけに適用されることを必ずしも意味しない。様々な実施形態からの単純な特徴はまた、他の実施形態を形成するために組み合わせる又は交換することができる。
【００１６】
長手、垂直、及び横断方向は、三面座標系（Ｌ、Ｖ、Ｔ）によって図１及び３に示すように指定される。横断方向Ｔは、シートＤの進行の長手方向に対して垂直な方向である。水平平面は、（Ｌ、Ｔ）平面に対応する。
【００１７】
用語上流及び下流は、図１に矢印Ｄによって示すようにボード要素の進行の方向に関して定められる。これらの要素は、定期的停止によって調整された移動で機械の長手主軸線にほぼ沿って上流から下流に移動する。
【００１８】
用語「平坦要素」及び「シート」は、均等物であるように以下では考えられ、パッケージング産業で一般的に使用される平坦ボード、紙、又はあらゆる他の材料に関して波形ボードで作られた要素に等しく関連することになる。このテキストを通して用語「シート」又は「シート要素」又は「シート形態要素」は、非常に一般的には、例えば、ボード、紙、プラスチックなどのシートのようなシート形態にあるあらゆる印刷媒体に関連することを理解しなければならない。
【００１９】
図１は、シートを変換するための処理機械１の一例を描いている。この処理機械１は、並置されているが互いに相互依存してユニットアセンブリを形成するいくつかのワークステーションの従来の方法で構成される。すなわち、給送ステーション１００、プラテンプレス３０１を含むステーションのようなシートを切断するための変換ステーション３００、廃棄物放出ステーション４００、変換シートがパイルに再編成されるコピー分離ステーション５００、及び切断シート廃棄物（一般的に、グリッドの形態にある）がオン・ザ・フライで除去される廃棄物除去ステーション６００がある。
【００２０】
各シートを変換する作動は、変換ステーション３００内で、例えば、与えられた形状の複数の箱を取得するために取得されることになる展開形状に対応するテンプレートにシートを切断するための移動する機能を有して装着されたプレス３０１の固定プラテンと下側プラテン間で行われる。可動プラテンは、機械サイクル当たり１回連続的に上げられて下げられる。
【００２１】
搬送デバイス７０が、給送ステーション１００の出口からプレス関連の変換ステーション３００を通じて廃棄物除去ステーション６００まで遠くに個々に各シートを移動するために同じく設けられる。
【００２２】
搬送デバイス７０は、一般的に把持器バー７５と呼ばれる把持器を備えた複数の横断バーを含み、把持器の各々は、その前縁に沿ってシートを機械１の様々なワークステーション３００、４００、５００、６００にそれを連続的に引き込む前に順番に捕捉する。
【００２３】
把持器バー７５の端部の各々は、一般的にチェーンセット８０と呼ばれるループ形成横チェーンにそれぞれ接続される。２つのチェーンセット８０は、従って、把持器バー７５の各側で横方向に配置される。
【００２４】
搬送デバイス７０はまた、それぞれのチェーンセット８０を案内するように構成された少なくとも１つのチェーン案内デバイス９０を含む。
【００２５】
駆動スプロケット７２でチェーンセット８０に伝達される移動により、把持器バー７５の集合は、停止位置を離れることになり、加速することになり、最高速度に達することになり、減速することになり、次に停止することになり、すなわち、１つのワークステーションから次のワークステーションまでのシートの移動に対応するサイクルを説明する。チェーンセット８０は、各移動中に全ての把持器バー７５が１つのステーションから下流の隣接ワークステーションまで移動しているように定期的に移動して停止する。各ステーションは、一般的に機械サイクルと呼ばれるこのサイクルと同期してその仕事を実行する。
【００２６】
処理機械１内の処理ステーションの数及び性質は、シート上で実行される作動の性質及び複雑性に従って変わる可能性がある。本発明の関連内では、処理機械の考えは、従って、これらのアセンブリのモジュール的性質のために非常に広範な実施形態を網羅する。使用するワークステーションの数、性質、及びレイアウトに依存して、多数の異なる処理機械を取得することが実際に可能である。エンボス又は折り目付けステーションのような、又は１又は２以上のスタンピングテープに由来するフィルムを各シートに付加することによってパターンがプレスのプラテン間に生成されるスタンピング又はホットホイルスタンピング機械のためのスタンピングテープを装填するためのステーションのような言及したもの以外のタイプのワークステーションがあることを強調することも必要である。最後に、１つの同じ処理機械には、１つの同じタイプのいくつかステーションを非常に良好に備えることができることを認めなければならない。
【００２７】
搬送デバイス７０の要素が、図１に概略的に示されている。この図は、この例では８である複数の把持器バー７５を示し、これらは、機械１の様々なワークステーション３００、４００、５００、６００、チェーンセット８０、及びコピー分離ステーション５００の下流の廃棄物放出ステーション６００に配置されたチェーン案内デバイス９０までシートが移動されることを可能にする。チェーンセット８０を駆動する駆動スプロケット７２は、給送ステーション１００の近くの反対側に配置される。
【００２８】
図２に最もよく見ることができるように、各チェーン案内デバイス９０は、ループ内の曲げ部を通して滑車９１に向けてチェーンセット８０を案内するようにチェーンセット８０をそれが滑車９１及び湾曲形状の下側チェーンガイド９３を離れる時に案内するために、例えば、滑車９１又はスプロケットホイール又は円筒形の単純ガイド、並びに例えば機械１内に実質的に水平に配置された上側チェーンガイド９２を含む。チェーン案内デバイス９０は、機械１の横断シャフトによって互いに接続することができ、又は各側で可動部品に別々に接続することができる。
【００２９】
廃棄物放出ステーション６００は、切断シート廃棄物をオン・ザ・フライで放出するための排出器部材２を含み、その前縁は、把持器バー７５に係合している。
【００３０】
排出器部材２は、ベース３と、ベース３に接続されたくし４と、それぞれのチェーンセット案内デバイス９０に、例えば、下側チェーンガイド９３（図示せず）のためのチェーンガードに固定されるように構成された２つの横支持体５とを含む。
【００３１】
ベース３は、例えば、例えばシートメタルで作られた中空平行六面体の全体形状を有する。ベース３は、例えば、垂直に延びて支持体５と協働する側板を担持する。
【００３２】
くし４は、この例（図３及び４）では１０の複数の歯１０を含む。歯１０は、実質的に同一の寸法を有し、かつ歯１０の間に挿入された空間内の把持器バー７５の把持器の通過を可能にするように均等に離間している。歯１０の数及び位置は、使用する把持器バーのタイプに従って変わる場合がある。
【００３３】
くし４は、図５に見ることができるように、例えば、例えば層状に重ねられた２つの別々の材料で形成される。歯１０は、例えば、下側部分に衝撃のノイズを制限することを可能にするプラスチック材料４ａと、上側部分に良好な機械的強度を与える金属材料４ｂとを含む。
【００３４】
支持体５は、支持体５に関して修正可能な傾斜を有してベース３を固定するためにベース３によって担持されたそれぞれの側板と協働するように構成される（図２）。くし４の傾斜は、従って、廃棄物シートの厚みに従って方向付けることができ、これは、把持器バー７５の把持器が、それらがくし４の歯１０を遮断する時に十分に開いていることを保証することを可能にする何らかのものである。
【００３５】
一実施形態により、排出器部材２は、予め定められた数の異なる向きによって傾斜することができるように構成され、異なる厚みのボードが通ることを可能にする。図２は、すなわち、排出器部材２がシート廃棄物の厚みに従って選ぶことができる３つの角度位置に対する例を示している。
【００３６】
くし４はまた、低スループットの第１の位置（図４）及び少なくとも１つの高スループットの第２の位置（図３）を選ぶことができるように構成される。
【００３７】
低スループットの第１の位置では、くし４は、例えば、シート形態要素Ｄの進行の長手方向に対して垂直な横断方向Ｔに一線に延びる。低スループットの第１の位置でのくし４は、すなわち、例えば、１０  ０００シート／時間（ｓ／ｈ）の程度のような予め決められたスループット閾値よりも低い機械スループットのための低スループットで作動する機械１に対する把持器バー７５のものを補完する直線又は実質的に直線の全体形状を有する。
【００３８】
高スループットの第２の位置では、くし４の形状は、凹面形状に引き戻され、くし４の中心は、シート形態要素Ｄの進行の長手方向にその外側端に対して後退している。この高スループットの第２の位置では、くし４の中心は、低スループットの第１の位置におけるよりも更に深く後退している。
【００３９】
くし４の中心は、例えば低スループットの第１の位置に対して３ｍｍの程度のような１と５ミリメートルの間の距離ｄだけ後退する。引き戻し位置のくし４の曲率は、高スループットで作動する機械１に対する、つまり予め決められたスループット閾値を超える機械スループットに対する移動において把持器バー７５の曲率を近似する形状を有する。
【００４０】
把持器バー７５が変形する時の高スループットの第２の位置、又は把持器バー７５が真っ直ぐである時の低スループットの第１の位置でのくし４の位置は、把持器バー７５及びくし４が互いに遮断する時にくし４の形状が移動する把持器バー７５の曲率に最もよく適合するように、機械スループットに適するようにくし４の曲率を適応させることを可能にする。把持器は、従って、衝突の危険なしに、把持器バー７５の中心でその端部にある時と同様にシート廃棄物に衝突するくし４の歯１０の間を通ることができる。
【００４１】
くし４は、低スループットの第１の位置及び単一の高スループットの第２の位置を選ぶように構成することができる。形状それ自体が機械スループットに依存する把持器バー７５の形状に最もよく適合するように、くし４が機械スループットに従ってより大きい又は小さい程度まで強められた凹面を有するいくつかの高スループットの第２の位置を選ぶことができることも考えられている。
【００４２】
高スループットの第２の位置では、凹面であるくし４の全体形状は、直線部分の端部によって接続された少なくとも２つの直線部分９ａ、９ｂによって形成することができ、２つの隣接する直線部分９ａ、９ｂの間の角度は、１８０°よりも小さい。
【００４３】
くし４の凹面全体形状は、従って、端部対端部で配置された２つの直線部分９ａ、９ｂによって形成することができ、くし４の全体形状は、図３で見ることができるように、三角形の内側に内接することが可能である。くし４の全体形状がその内側に内接することができる三角形は、従って、横断直線によってくし４の外側端で互いに接合された２つの直線部分９ａ、９ｂによって形成される。この形状は、達成することが特に簡単である。
【００４４】
くし４は、例えば、互いに対して移動することもできる少なくとも２つの剛性直線部分９ａ、９ｂを含む。直線部分９ａ、９ｂは、例えばくし４の連結部又は変形可能ゾーンを使用して生成された少なくとも３つの接続部により、又は少なくとも１つの連結部及び少なくとも１つの変形可能ゾーンを使用することにより、互いにかつベース３に接合される。
【００４５】
くし４は、例えば、直線部分９ａ、９ｂを互いに及び／又はベース３に接合するための少なくとも１つの変形可能ゾーン１２ａ、１２ｂを含む。変形可能ゾーン１２ａ、１２ｂは、薄化及び／又は少なくとも１つのオリフィス１５によって形成された脆弱性のゾーンを通して生成することができる。変形可能ゾーンに対する他の実施形態、例えば、可撓性材料の挿入が考えられる。
【００４６】
くし４は、リンクロッド、ピボットリンク、ヒンジ、摺動レール、又は他のタイプ（図示せず）の連結部のような直線部分９ａ、９ｂを互いに及び／又はベース３に接続するための少なくとも１つの連結部を含むことができる。
【００４７】
一例示的実施形態により、くし４は、少なくとも３つの変形可能ゾーン１２ａ、１２ｂによって互いにかつベース３に接合された少なくとも２つの直線部分９ａ、９ｂを含む。２つの直線部分９ａ、９ｂは、例えば、くし４の中間で互いに接合される。各直線部分９ａ、９ｂは、すなわち、同じ数の歯１０を有する。
【００４８】
ベース３をくし４の外側端に接続する変形可能ゾーン１２ｂは、穿孔されたそれぞれの壁によって形成することができる（図５）。これらの変形可能ゾーン１２ｂはまた、廃棄物シートの衝撃によって発生される負荷に反応する。
【００４９】
直線部分９ａ、９ｂの間の中心位置に位置する変形可能ゾーン１２ａは、例えば、数ミリメートルの程度の小さい厚みの穿孔壁によって形成される。
【００５０】
０．５度の程度のくし４の変形可能ゾーン１２ａ、１２ｂの壁の非常に小さい角度変形に起因して、脆弱性のゾーンで作られた変形可能な構造を示すくし４は、それが、生成するのが非常に簡単であり、廉価であり、構成部品の数が少なく、ピボット点の摩耗がなく、かつ遊びがないので有利である。
【００５１】
すなわち、高スループットの第２の位置でくし４が把持器バー７５の変形された形状に最もよく適合するより湾曲した凹面形状を示すように配置されたより多くの変形可能ゾーン又は連結部をくし４が有することを想定することができる。
【００５２】
高スループットの第２の位置でのくし４の全体形状は、従って、例えば、台形全体形状に内接することができる３つの直線部分のような直線部分の端部によって接続された２よりも多い直線部分９ａ、９ｂを含むことができる。くし４の全体形状がその内側に内接することができる台形外形は、すなわち、端部対端部で配置されて横断直線によってくし４の外側端に接続された３つの直線部分によって形成される。
【００５３】
くし４は、例えば、静止状態で高スループットの第２の位置を選ぶように構成される。力が、次に、くし４に対してそれに低スループットの第１の位置を選ばせるために作用する必要がある。高スループットの第２の位置をデフォルトにすることは、シートからの廃棄物を停電などの事象におけるような問題の事象においてさえも高スループットで排出することができることを保証することを可能にする。
【００５４】
排出器部材２は、例えば、くし４を変形することによって又はくしの少なくとも１つの直線部分９ａ、９ｂを移動することによってくし４に低スループットの第１の位置又は高スループットの第２の位置を選ばせるように構成された少なくとも１つの起動機構を含む。
【００５５】
起動機構は、例えば、くし４の変形可能中心ゾーン１２ａに対してそれを低スループットの第１の位置に入れて真っ直ぐにするために長手方向に押すように構成される。これはまた、垂直負荷に反応してくし４の横方向位置決めを保証することを可能にする。
【００５６】
一例示的実施形態により、起動機構は、空圧シリンダのような少なくとも１つのアクチュエータ１３を含む。アクチュエータ１３の移動端は、例えば２つの脆弱性ゾーンの間に配置されたスクリューによって変形可能中心ゾーン１２ａに固定される。シリンダの空圧作動は、変形可能ゾーン１２ａの壁を長手方向に押し戻し、くし４を低スループットの第１の位置に入れて真っ直ぐにする。
【００５７】
アクチュエータ１３は、デバイスに搭載されて担持され、それは、例えば、ベース３に収容されて固定される。
【００５８】
くし４が２よりも多い直線部分９ａ、９ｂを示す事例では、排出器部材２は、いくつかのアクチュエータ１３を含むことができる。これに代えて、アクチュエータ１３は、一度にいくつかの変形可能ゾーン１２ａ、１２ｂを変形する又は一度にいくつかの直線部分９ａ、９ｂを移動するように構成することができる。
【００５９】
描かれていなかった別の例により、起動機構は、例えば、レバー又はハンドホイールによって２つの低スループット及び高スループット位置の間で起動することができるオペレータにアクセス可能なゾーンへの起動をオフセットするために、フォーク、リンケージ、及び／又はチェーン又はベルトを伴うデバイスのようなオペレータが手動で起動することができる伝達デバイスを含む。
【００６０】
作動において、把持器バー７５の経路は、廃棄物放出ステーション６００でのその開放と同期し、そのために把持器バー７５がチェーンセット８０のループの曲げ部を上る時に、把持器は、それらが排出器部材２を遮断する時に開く。廃棄物は、把持器バー７５によって担持され、かつくしが放出ベルトの上にピボット回転するように把持器バー７５の把持器の間を通る歯１０を有するくし４の衝突の前に解除される。
【００６１】
「オン・ザ・フライ」での排出は、廃棄物放出ステーション６００での把持器バー７５の急変経路を使用して放出ベルトの上に切断シートをピボット回転させ、従って、１つの把持器バーを節約する。オン・ザ・フライで廃棄物を放出するこの方法は、くし４の曲率をそれに低スループットの第１の位置又は少なくとも１つの高スループットの第２の位置を選ばせることによって機械スループットに適するように修正することができるので、高スループットでのように低スループットでも全く同様に機能することができる。
【符号の説明】
【００６２】
２  排出器部材
３  ベース
４  くし
１２ａ、１２ｂ  変形可能ゾーン
１３  アクチュエータ
【図１】
2019510649.tif 000003
【図２】
2019510649.tif 000004
【図３】
2019510649.tif 000005
【図４】
2019510649.tif 000006
【図５】
2019510649.tif 000007
【国際調査報告】
2019510649.tif 000008
2019510649.tif 000009
2019510649.tif 000010
2019510649.tif 000011